(57)【要約】【課題】  本発明は、信号を処理および／または生成するための装置、並びに信号（５１，５２）を処理または生成するための装置（１０；１１０；２１０；３１０；４１０）の調整を算出するための方法に関する。【解決手段】  この方法は、前記装置（１０；１１０；２１０；３１０；４１０）の信号デバイス（１４；１１４；２１４；３１４）によって、送信信号（５２）またはテスト信号（６３）を生成するステップ（Ｓ０１）を有しており；前記装置（１０；１１０；２１０；３１０；４１０）のインターフェースデバイス（１６；１１６）から出て前記信号デバイス（１４；１１４；２１４；３１４）に達する第１の信号（５１，５３）を、前記信号デバイス（１４；１１４；２１４；３１４；４１４）から出て前記インターフェースデバイス（１６；１１６）に達する第２の信号（５２，５２′）から分離するステップ（Ｓ０２）を有しており、この際に、前記インターフェースデバイス（１６；１１６）が送信および／または受信アンテナ（３０；１３０；３３０）と結合可能または結合されており；前記第１および第２の信号（５１，５２，５２′，５３）を互いに分離してアウトプットするステップ（Ｓ０３）を有している。【選択図】  図１
2019506036.tif 000002
【特許請求の範囲】
【請求項１】
信号（５１，５２）を処理または生成するための装置（１０；１１０；２１０；３１０；４１０）であって、
基板（１２）を有しており、
受信信号（５１）を処理するためにおよび／または送信信号（５２）を生成するために構成された信号デバイス（１４；１１４；２１４；３１４）を有しており、
インターフェースデバイス（１６；１１６）を有しており、該インターフェースデバイス（１６；１１６）によって、前記信号デバイス（１４；１１４；２１４；３１４；４１４）が、生成された前記送信信号（５２）を送信するためのおよび／または処理しようとする前記受信信号（５１）を受信するための送信および／または受信アンテナ（３０；１３０；３３０）に結合可能であって、
分離デバイス（１８；１１８；２１８）を有しており、該分離デバイスは、前記インターフェースデバイス（１６；１１６）から出て前記信号デバイス（１４；１１４；２１４；３１４；４１４）に達する第１の信号（５１，５３）を、前記信号デバイス（１４；１１４；２１４；３１４）から出て前記インターフェースデバイス（１６；１１６）に達する第２の信号（５２；５２′）から分離するために設計されており、
出力デバイス（２０；１２０；４２０）を有しており、該出力デバイス（２０；１２０；４２０）で、互いに分離された前記第１および第２の信号（５１，５２，５２′，５３）が調整を算出するために互いに別々に読み取り可能であり、
この場合、前記信号デバイス（１４；１１４；２１４；３１４）、前記インターフェースデバイス（１６；１１６）、前記分離デバイス（１８；１１８；２１８）および前記出力デバイス（２０；１２０；４２０）が前記基板（１２）に配置されている、
信号（５１，５２）を処理または生成するための装置（１０；１１０；２１０；３１０；４１０）。
【請求項２】
前記信号デバイス（１４；１１４；２１４；３１４；４１４）、前記インターフェースデバイス（１６）、前記分離デバイス（１８；１１８；２１８）および前記出力デバイス（２０；１２０；２２０；３２０；４２０）を備えた前記基板（１２）が、モノリシックマイクロ波回路として構成されている、請求項１記載の装置（１０；１１０；２１０；３１０；４１０）。
【請求項３】
前記分離デバイス（１１８：２１８）が方向性結合器（１１８）としてまたは環状結合器（２１８）として構成されている、請求項１または２記載の装置（１１０；２１０；３１０；４１０）。
【請求項４】
前記分離デバイス（１１８；２１８）が４ポート式に構成されている、請求項３記載の装置（１０；１１０；２１０；３１０；４１０）。
【請求項５】
前記出力デバイス（４２０）が演算装置（４２８）を有しており、該演算装置（４２８）は、互いに分離された前記第１および第２の信号（５１，５２）に基づいて、前記装置（４１０）の調整を表す出力信号（６５）を生成するために設計されている、請求項１から４までのいずれか１項記載の装置（４１０）。
【請求項６】
前記出力デバイス（４２０）が第１のアナログデジタル変換器（４２５）を有していて、該第１のアナログデジタル変換器（４２５）が、前記第１の信号（５１，５３）をアナログ信号からデジタル信号に変換するために設計されており、
前記出力デバイス（４２０）が第２のアナログデジタル変換器（４２６）を有していて、該第２のアナログデジタル変換器（４２６）が、前記第２の信号（５２）をアナログ信号からデジタル信号に変換するために設計されている、請求項１から５までのいずれか１項記載の装置（４１０）。
【請求項７】
前記信号デバイス（３１４）が、前記受信信号（５１）を処理するために設計されていて、混合器（３４０）とテスト信号発生装置（３４２）とを有しており、
前記テスト信号発生装置（３４２）は、テスト信号（６３）を発生させて前記分離デバイス（３１８）と前記混合器（３４０）との間に全方向的に供給するために設計されている、請求項１から６までのいずれか１項記載の装置（３１０）。
【請求項８】
信号（５１，５２）を処理または生成するための装置（１０；１１０；２１０；３１０；４１０）の調整を算出するための方法であって、
前記装置（１０；１１０；２１０；３１０；４１０）の信号デバイス（１４；１１４；２１４；３１４）によって、送信信号（５２）またはテスト信号（６３）を生成するステップ（Ｓ０１）を有しており、
前記装置（１０；１１０；２１０；３１０；４１０）のインターフェースデバイス（１６；１１６）から出て前記信号デバイス（１４；１１４；２１４；３１４）に達する第１の信号（５１，５３）を、前記信号デバイス（１４；１１４；２１４；３１４；４１４）から出て前記インターフェースデバイス（１６；１１６）に達する第２の信号（５２，５２′）から分離するステップ（Ｓ０２）を有しており、この際に、前記インターフェースデバイス（１６；１１６）が送信および／または受信アンテナ（３０；１３０；３３０）と結合可能または結合されており、
前記第１および第２の信号（５１，５２，５２′，５３）を互いに分離してアウトプットするステップ（Ｓ０３）を有している、
信号（５１，５２）を処理または生成するための装置（１０；１１０；２１０；３１０；４１０）の調整を算出するための方法。
【請求項９】
前記方法を前記装置（１０；１１０；２１０；３１０；４１０）の送信運転中に連続的に実施する、請求項８記載の方法。
【請求項１０】
前記方法を、前記装置（１０；１１０；２１０；３１０；４１０）のテストモードで実施する、請求項８記載の方法。
【発明の詳細な説明】
【技術分野】
【０００１】
本発明は、信号を処理または生成するための、特に装置に結合された外部のアンテナデバイスによって受信される高周波信号（ＨＦ信号）を処理するための装置、および／または送信のために装置に結合された外部のアンテナデバイスによって送信される信号を生成するための装置に関する。本発明はさらに、調整を算出するための方法、信号を処理または生成するための装置に関する。処理しようとする、または生成しようとする信号は、特に高周波信号、例えばレーダ信号である。
【背景技術】
【０００２】
信号を処理または生成するための装置は、例えばレーダセンサに使用される。近距離および中間距離範囲のための７７ＧＨｚ帯の自動車のレーダセンサは、主に別々の送信および受信アンテナで作業する。これらのアンテナは、適切な高周波プリント配線板（ＨＦプリント配線板）上に共振構造体として実現されている。パッシブアンテナは、マイクロストリップ線路によって適切な構造技術および接続技術を用いて、アクティブトランスミッターマイクロ波回路または受信器マイクロ波回路（例えばモノリシックマイクロ波集積回路、ＭＭＩＣ、英語“ｍｏｎｏｌｉｔｈｉｃ  ｍｉｃｒｏｗａｖｅ  ｉｎｔｅｇｒａｔｅｄ  ｃｉｒｃｕｉｔ”）と接続される。この場合、ＨＦプリント配線板とアクティブ回路との間に接合箇所が発生し、この接合箇所は、高周波信号移行の実現時に変動を生ぜしめる原因となり得る。例えば送信信号の不都合な反射戻り並びに不都合な戻り反射された受信出力は、到達距離に関連したレーダセンサの効率低下をもたらす。
【０００３】
特許文献１には、マイクロ波およびミリメートル波使用のためのレーダ送受信機が記載されている。
【先行技術文献】
【特許文献】
【０００４】
【特許文献１】独国特許出願公開第１０３００９５５号明細書
【発明の概要】
【０００５】
本発明は、請求項１の特徴を有する装置および請求項８の特徴を有する方法を開示する。
【０００６】
本発明によれば、信号を処理または生成するための装置が設けられており、この装置は、基板を有しており；受信信号を処理するためにおよび／または送信信号を生成するために構成された信号デバイスを有しており；インターフェースデバイスを有しており、このインターフェースデバイスによって、信号デバイスが、生成された送信信号を送信するためのおよび／または処理しようとする受信信号を受信するための送信および／または受信アンテナに結合可能であって；分離デバイスを有しており、この分離デバイスは、インターフェースデバイスから出て信号デバイスに達する第１の信号を、信号デバイスから出てインターフェースデバイスに達する第２の信号から分離するために設計されており；出力デバイスを有しており、この出力デバイスで、互いに分離された第１および第２の信号が調整を算出するために互いに別々に読み取り可能であり；この場合、信号デバイス、インターフェースデバイス、分離デバイスおよび出力デバイスが基板に配置されていて、特に基板内に集積されている。
【０００７】
調整とは、一方では送信および／または受信アンテナと他方では信号を処理または生成するための装置との間の移行部の効率を表すために適した値であると解釈される。この調整は、特に反射された出力と反射されずに通過した出力との商であってよい。インターフェースデバイスと送信および／または受信アンテナとの間に、結合後に、不都合な反射が行われ得る接合箇所が生じる。
【０００８】
本発明はさらに、信号を処理または生成するための装置、特に本発明による装置の調整を算出するための方法であって、調整を算出しようとする装置の信号デバイスによって、送信信号および／またはテスト信号を生成するステップを有しており；装置のインターフェースデバイスから出て信号デバイスに達する第１の信号を、信号デバイスから出てインターフェースデバイスに達する第２の信号から分離するステップを有しており；この場合、インターフェースデバイスが送信および／または受信アンテナと結合されており；第１および第２の信号を互いに分離して提供するステップを有している。互いに分離された第１および第２の信号に基づいて、装置の調整を表す出力信号が生成され得る。第１および第２の信号が読み取り可能若しくは提供されるとは、特に、これが装置自体のために、または外部の測定装置のために提供されるか、またはこれらの装置または外部の測定装置によって処理されることであると、解釈されるべきである。
【発明の効果】
【０００９】
本発明による装置並びに本発明による方法は、順流信号と逆流信号との分離、および特にその出力測定を可能にする。順流出力および逆流出力は、装置の運転中に持続的つまり連続的に測定され得る。従って、いつでも直ちに、送信および／または受信アンテナの装置間の高周波接合部の品質のためのデータが存在し得る。
【００１０】
本発明による解決策は、分離された送信および受信アンテナを備えたバイスタティックなレーダのためにも、また共通の送信および受信アンテナを備えたモノスタティックなレーダのためにも適している。
【００１１】
例えば送信および／または受信アンテナを備えたＨＦプリント配線板から、装置例えばＭＭＩＣへの調整は、好適には外部の測定技術によって測定され得る。選択的にまたは追加的に、装置からＨＦプリント配線板の方向での調整の測定も可能である。調整に関する得られた知識は、装置から得られたものもまたプリント配線板から得られたものも、接合箇所の改善のために使用され得る。送信若しくは受信信号の生成および／または処理は、算出された調整に基づいて自動的に調整され得る。パフォーマンス損失の原因は容易に算出され得る。高周波インターフェース、つまり装置とプリント配線板との間の接合箇所の機能は、装置の運転中に監視され得る。場合によっては、送信しようとするおよび／または受信信号も、得られた知識に基づいて調整、例えば増幅され得る。
【００１２】
好適な実施例および変化実施態様は、従属請求項並びに図面を参照して明細書から得られる。
【００１３】
好適な変化実施態様によれば、信号デバイス、インターフェースデバイス、分離デバイスおよび出力デバイスを備えた基板が、集積されたモノリシックなマイクロ波回路として構成されている。
【００１４】
別の好適な変化実施態様によれば、分離デバイスが方向性結合器としてまたは環状結合器として構成されている。従って、第１の信号と第２の信号とは、特に効果的に互いに分離可能である。
【００１５】
別の好適な変化実施態様によれば、分離デバイスが４ポート式に構成されている。特に、分離デバイスが４ポート式の方向性結合器としてまたは４ポート式の環状結合器として構成され得る。
【００１６】
別の好適な変化実施態様によれば、出力デバイスが演算装置を有しており、この演算装置は、互いに分離された第１および第２の信号に基づいて、装置の調整を表す出力信号を生成するために設計されている。従って、調整を決定するための外部の演算装置は省くことができ、これによって、本発明による装置はより臨機応変に使用可能である。
【００１７】
別の好適な変化実施態様によれば、出力デバイスが第１のアナログデジタル変換器を有していて、この第１のアナログデジタル変換器は、第１の信号をアナログ信号からデジタル信号に変換するために設計されている。出力デバイスは好適には、さらに第２のアナログデジタル変換器を有していて、この第２のアナログデジタル変換器は、第２の信号をアナログ信号からデジタル信号に変換するために設計されている。上記演算装置は、特に変換されたデジタル式の第１および第２の信号を処理するために構成され得る。
【００１８】
別の好適な変化実施態様によれば、信号デバイスが、受信信号を処理するために設計されていて、混合器とテスト信号発生装置とを有している。テスト信号発生装置は、テスト信号を発生させて分離デバイスと混合器との間に全方向的に供給するために設計されている。従って、送信しようとする信号を生成するために構成されていない装置のためにも、テスト信号を提供することができ、このテスト信号に基づいて、本発明による装置の調整が算出可能である。
【００１９】
好適な変化実施態様によれば、本発明の方法は、装置の送信運転中に連続的に実施される。
【００２０】
別の好適な変化実施態様によれば、この方法は装置のテストモードで実施される。
【図面の簡単な説明】
【００２１】
【図１】本発明の一実施例による、信号を処理または生成するための装置の概略的な回路図である。
【図２】本発明の別の実施例による、信号を処理または生成するための装置の概略的な回路図である。
【図３】本発明のさらに別の実施例による、信号を処理または生成するための装置の概略的な回路図である。
【図４】本発明のさらに別の実施例による、信号を処理または生成するための装置の概略的な回路図である。
【図５】本発明のさらに別の実施例による、信号を処理または生成するための装置の概略的な回路図である。
【図６】本発明の別の実施例による、信号を処理または生成するための装置の調整を算出するための方法を説明するための概略的なフローチャートである。
【発明を実施するための形態】
【００２２】
本発明を以下に、図面の概略図に示した実施例を用いて具体的に説明する。
【００２３】
すべての図面において、同じ若しくは機能的に同じ構成要素および装置には、他に何も指摘されていなければ、同じ参照符号が付けられている。方法ステップの番号付けは、分かりやすくするために役立ち、他に何も指摘されていなければ、特に所定の時間的な連続を含意していない。特に、複数の方法ステップが同時に実施されてもよい。
【００２４】
図１は、本発明の一実施例による信号５１，５２を処理または生成するための装置１０の概略的な回路図を示す。
【００２５】
装置１０は基板１２を有しており、この基板１２内に、装置１０の別の構成部分およびデバイスが好適には集積されて構成されている。
【００２６】
装置１０は信号デバイス１４を有しており、この信号デバイス１４は、受信信号５１を処理するためにおよび／または送信信号５２を生成するために構成されている。信号デバイス１４が送信信号５２を生成するためにだけ構成されている場合、信号デバイス１４は信号生成デバイスと称呼されてもよい。信号デバイスが受信信号５１を処理するためにだけ構成されている場合、信号デバイス１４は信号処理デバイスと称呼されてもよい。信号デバイス１４は、特にパワーエレクトロニクス素子、マイクロプロセッサ、論理回路等を含んでいてよい。
【００２７】
さらに、装置１０は、インターフェースデバイス１６を有しており、このインターフェースデバイス１６によって、信号デバイス１４は、生成された送信信号５２を送信するためにおよび／または処理しようとする受信信号５１を受信するために、送信および／または受信アンテナ３０、特に外部の送信および／または受信アンテナ３０に結合可能または結合されている。外部の送信および／または受信アンテナ３０は、例えば高周波プリント配線板上にパッシブな共振構造部として構成されていてよい。送信および／または受信アンテナ３０と、装置１０つまり基板１２、特に信号デバイス１４との結合は、例えばマイクロストリップ線路およびその他の適切な構成技術および／または接続技術を介して、例えばベアチップのボンディング、ＢＧＡ−ＭＭＩＣのはんだ付け等によって行われ得る。
【００２８】
さらに、装置１０は分離デバイス１８を有しており、この分離デバイス１８は、インターフェースデバイス１６から出て信号デバイス１４に達する第１の信号５１，５３を、信号デバイス１４から出てインターフェースデバイス１６に達する第２の信号５２から分離するように設計されている。第１の信号５１，５３は、特に、送信および／または受信アンテナ３０によって受信されかつ信号デバイス１４によって処理しようとする受信信号５１を含んでいてよい。第２の信号５２は、特に、信号デバイス１４によって生成されかつ送信および／または受信アンテナ３０によって送信するように構成された送信信号５２を含んでいてよい。
【００２９】
インターフェースデバイス１６から出て信号デバイス１４に達する第１の信号５１，５３は、さらに、インターフェースデバイス１６で、および／または結合された送信および／または受信アンテナ３０とインターフェースデバイス１６との間の接合箇所で反射された信号５３を含んでいてよい。反射された信号５３は、例えば、信号デバイス１４によって生成されかつ送信および／または受信アンテナ３０によって送信するためにインターフェースデバイス１６に転送される送信信号５２が、インターフェースデバイス１６と送信および／または受信アンテナ３０との間の接合箇所で、および／またはインターフェースデバイス１６で部分的にまたは完全に反射されることによって発生し得る。従って、送信および／または受信アンテナ３０に到達する送信出力は、反射された信号５３によって低下される。低下の程度は、値「調整」によって表示される。
【００３０】
装置１０はさらに、出力デバイス２０を備えて構成されており、この出力デバイス２０で、互いに分離された第１および第２の信号５１，５２，５３が、調整を算出するために互いに別々に読み取り可能である。互いに分離された第１および第２の信号５１，５２，５３の処理は、例えば外部の演算装置によって行われてよい。しかしながら、装置１０が相応の演算装置を有していてもよい。
【００３１】
信号デバイス１４、インターフェースデバイス１６、分離デバイス１８および出力デバイス２０は、基板１２に配置されており、特に基板１２内に集積化されている。
【００３２】
図２は、本発明の別の実施例による、信号５１，５２を処理または生成するための装置１１０の概略的な回路図を示す。この装置１１０は装置１０の変化例である。
【００３３】
装置１１０は信号デバイス１１４を有しており、この信号デバイス１１４は、インプットされた生信号６１を増幅器によって増幅して送信信号５２として提供するように、設計されている。この装置１１０はさらに、インターフェースデバイス１１６を有しており、このインターフェースデバイス１１６によって信号デバイス１１４は送信および受信アンテナ１３０に結合可能または結合されている。送信および受信アンテナ１３０は、装置１１０の一部であるかまたは装置１１０とは別個に構成されていてよい。装置１１０は、特にバイスタティックなレーダとして使用可能であるかまたはバイスタティックなレーダ内で使用可能である。送信信号５２は、信号デバイス１１４によって、専用の線路を介してインターフェースデバイス１１６に導かれる。装置１１０の分離デバイス１１８として、信号デバイス１１４とインターフェースデバイス１１６との間に、方向性結合器１１８、特に９０°−ハイブリッド−方向性結合器が接続されている。
【００３４】
方向性結合器は、特に高周波技術により公知な４ポート構造であって、この４ポート構造は、適切なインピーダンス長さおよび／または線路長さの設計を介して、信号をその４つのポートに個別に結合することを可能にする。特に、順流信号を第１の入力ポート１に印加し、逆流信号を第２の入力ポート２に印加する。第３の出力ポート３に、出力結合された順流信号を印加し、出力結合された逆流信号を第４の出力ポート４に印加する。第４の出力ポート４は、第１の入力ポート１に対して絶縁されていて、第３の出力ポート３は、第２の入力ポート２に対して絶縁されており、それによって方向分離が可能である。装置１１０において、第１の入力ポート１が信号デバイス１１４に接続されている。第２の入力ポート２がインターフェースデバイス１１６に接続されていて、第３および第４の出力ポート３，４が装置１１０の出力デバイス１２０に接続されている。
【００３５】
さらに、信号装置１１４は、送信および受信アンテナ１３０によって受信され、かつ第１および第２の入力ポート１，２を介して伝送される受信信号５１を処理するために構成されている。
【００３６】
図２に示されているように、第４の出力ポート４に出力デバイス１２０の第１の測定装置１２１が接続されていて、第３の出力ポート３に出力デバイス１２０の第２の測定装置１２２が接続されている。第１の測定装置１２１において、第１の電気接点１２３とアース（英語“ｇｒｏｕｎｄ”，ＧＮＤ）との間で電気信号を読み取ることができ、この電気信号は、特に装置１０に関連して記載されているように、インターフェースデバイス１１６から出て信号デバイス１１４に達する第１の信号５１，５３を表すかまたは示す。第１の接点１２３と第４の出力ポート４との間に、例えばコンデンサおよび／または整流器ダイオードが、図２に示されているように、逆流方向に配置されていてもよい。
【００３７】
第２の測定装置１２２において、第２の電気接点１２４とアースとの間で電気信号を読み取ることができ、この電気信号は、特に装置１０に関連して記載されているように、信号デバイス１１４から出てインターフェースデバイス１１６に達する第２の信号５２を表すかまたは示す。第２の接点１２４と第３の出力ポート３との間に、例えばコンデンサおよび／または整流器ダイオードが、図２に示されているように逆流方向に配置されていてもよい。
【００３８】
図３は、本発明のさらに別の実施例による、信号５１，５２を処理または生成するための装置２１０の概略的な回路図を示す。この装置２１０は、装置１１０の変化例であって、この装置１１０とは、概ね装置２１０の分離デバイス２１８並びに信号処理の形式が異なっている。
【００３９】
装置２１０は信号デバイス２１４を有しており、この信号デバイス２１４は、生信号６１に基づいて送信信号５２を生成するために、および受信信号５１を処理して有効信号６２を生成するために構成されている。
【００４０】
装置２１０の分離デバイス２１８は、第１から第４までのポート１′，２′，３′，４′を備えた環状結合器２１８として構成されている。信号デバイス２１４は、第１のポート１′および第３のポート３′に接続されていて、装置２１０のインターフェースデバイス１１６は“Ｒａｔ−Ｒａｃｅ−Ｋｏｐｐｌｅｒ”「ラットレースカプラ」とも称呼可能な環状結合器２１８の第４のポート４′に接続されている。装置２１０の出力デバイス１２０の第２の測定装置１２１は、図２に関連して記載されているように構成されていて、環状結合器２１８の第２のポート２′に接続されている。装置１１０に関連して記載されているように構成された第１の測定装置１２１は、環状結合器２１８の第３のポート３′に接続されている。第１のポート１′に信号デバイス２１４の信号増幅器２１３が接続されており、この信号増幅器２１３は、生信号６１を増幅して送信信号５２を生成するために設計されている。
【００４１】
さらに、信号デバイス２１４は混合器２４０を有しており、この混合器２４０は、インターフェースデバイス１１６を介して送信および受信アンテナ１３０によって受信された受信信号５１を処理するために構成されている。混合器２４０は、環状結合器２１８の第３のポート３′から分岐される信号を入力信号として受信する。発振器信号として、つまりＬＯ信号として、混合器２４０は、環状結合器２１８の第１のポート１′に印加された信号を受信する。混合器２４０は、入力信号と発振器信号とを混合することによって、例えば受信信号５１の情報成分をさらに処理するために使用され得る有効信号６２を生成するために構成されている。
【００４２】
図４は、本発明のさらに別の実施例による、信号５２を処理するための装置３１０の概略的な回路図を示す。この装置３１０は、装置１１０のさらに別の変化例である。
【００４３】
装置１１０と比較して、装置３１０は、受信のためにだけ、つまり受信信号５１を処理するためにだけ設計されており、この受信信号５１は、装置３１０の受信アンテナ３３０によって受信可能であって、装置３１０のインターフェースデバイス１１６を介して装置３１０の信号デバイス３１４に伝送可能である。インターフェースデバイス１１６、分離デバイス１１８および出力デバイス１２０は、装置１１０に関連して記載されているように構成されている。
【００４４】
信号処理デバイス３１４と呼ぶことができる信号デバイス３１４は、混合器３４０およびテスト信号発生装置３４２を有している。混合器３４０は、発振器信号つまりＬＯ信号６４を受信して、インターフェースデバイス１１６によって受信された受信信号５１と混合して有効信号６２を生成するために設計されている。従って、この装置３１０においては、前記装置１０；１１０；２１０と比較して、調整を算出するための基準信号が欠落している。このために、装置３１０はテスト信号発生装置３４２を有していて、このテスト信号発生装置３４２は、テスト信号６３を生成し、分離デバイス１１８、特に分離デバイス１１８の第１の入力ポート１と混合器３４０との間に全方向的に供給するために設計されている。テスト信号６３は、特にテスト信号発生装置３４２によって高周波ＬＯ信号６４から発生されてよく、この場合、テスト信号発生装置３４２はさらに、適切な方法によって周波数オフセットを印加するために設計されている。この周波数オフセットは、ＬＯ信号６４との混合後に低周波のベースバンド信号として現れる。
【００４５】
テスト信号６３を全方向的に供給することによって、テスト信号６３の信号出力の半分がインターフェースデバイス１１６の方向に導かれ、従って効果的な送信信号５２′のように作用する。装置１１０に関連して記載された方法と同じ方法を用いて、再び、分離デバイス１１８によって第１および第２の信号５１，５２′，５３を、調整の算出のために提供することができる。テスト信号６３の前記供給は、特に装置３１０のテストモードで実施することができ、このテストモード中に特に受信信号５１の通常の受信は行われない。
【００４６】
図５は、本発明のさらに別の実施例による、信号５１，５２を処理または生成するための装置４１０の概略的な回路図を示す。装置４１０は装置１００の変化例なので、既に装置１１０に関連して記載された構成要素は新たに記載されない。
【００４７】
装置４１０は、装置１１０の出力デバイス１２０の代わりに設けられた、装置４１０の出力デバイス４２０が、装置１１０とは異なっている。この出力デバイス４２０は、装置１１０に関連して記載したように、第１および第２の測定装置１２１，１２２を有している。第１の測定装置１２１の第１の電気接点１２３は、出力デバイス４２０の第１のアナログデジタル変換器４２５に接続されており、このアナログデジタル変換器４２５は、第１の測定装置１２１からの第１の信号５１，５３をデジタル化して、出力デバイス４２０の演算装置４２８に伝送するために設計されている。第２の測定装置１２２の第２の電気接点１２４は、出力デバイス４２０の第２のアナログデジタル変換器４２６に接続されており、この第２のアナログデジタル変換器４２６は、第２の測定装置１２２からの第２の信号５２′をデジタル化して、出力デバイス４２０の演算装置４２８に伝送するために設計されている。
【００４８】
演算装置４２８は、デジタル化された第１および第２の信号５１，５２′，５３に基づいて、装置４１０の調整を表す出力信号６５を生成し、かつアウトプットするために構成されている。出力信号６５は、例えば外部の装置のための装置４１０の接触点で読み取り可能に提供され得る。
【００４９】
図６は、本発明の別の実施例による、信号５１，５２，５２′を処理または生成するための装置１０；１１０；２１０；３１０；４１０の調整を算出するための方法を説明するための概略的なフローチャートを示す。図６による方法は、特に本発明による装置によって実施可能であり、特に前記装置１０；１１０；２１０；３１０；４１０のうちの１つによって実施可能である。従って、図６による方法は、本発明による装置に関連して、特に装置１０；１１０；２１０；３１０；４１０に関連して記載されたすべての変化例および変化実施態様に従って調整可能およびその逆でもある。
【００５０】
第１のステップＳ０１で、信号５１，５２を処理または生成するための装置１０；１１０；２１０；３１０；４１０の信号デバイス１４；１１４；２１４；３１４によって、特に信号デバイス１４；１１４；２１４；３１４に関連して前述されているように、送信信号５２またはテスト信号６３が生成される。
【００５１】
ステップＳ０２で、装置１０；１１０；２１０；３１０；４１０のインターフェースデバイス１６；１１６から出て信号デバイス１４；１１４；２１４；３１４に達する第１の信号５１，５３が、信号デバイス１４；１１４；２１４；３１４から出てインターフェースデバイス１６；１１６に達する第２の信号５２：５２′から分離される。インターフェースデバイス１６；１１６は、特に送信および／または受信アンテナ３０；１３０；３３０に結合可能または結合されている。ステップＳ０３で、第１の信号５１，５３および第２の信号５２；５２′が、互いに分離されてアウトプットされる。オプション的なステップＳ０４で、第１のおよび第２の信号５１，５２，５２′，５３に基づいて、装置１０；１１０；２１０；３１０；４１０の調整を表すアウトプット信号６５が生成される。図６に示した方法は、装置１０；１１０；２１０；３１０；４１０の送信運転中に連続的に実施され得る。選択的にまたは追加的に、図６に示した方法は、前述のように、装置１０；１１０；２１０；３１０；４１０のテストモードで実施されてもよい。
【符号の説明】
【００５２】
１０，１１０，２１０，３１０，４１０  信号を処理または生成するための装置
１２  基板
１４，１１４，２１４，３１４，４１４  信号デバイス、信号処理デバイス
１６，１１６  インターフェースデバイス
１８，１１８，２１８，３１８  分離デバイス
２０，１２０，２２０，３２０，４２０  出力デバイス
１１８  方向性結合器
３０，１３０，３３０  送信および／または受信アンテナ
５１  信号、受信信号、第１の信号
５２，５２′  信号、送信信号、第２の信号
５３  信号、第１の信号
６３  テスト信号
６５  出力信号
２１８  環状結合器
３４０  混合器
３４２  テスト信号発生装置
４２５  第１のアナログデジタル変換器
４２６  第２のアナログデジタル変換器
４２８  演算装置
Ｓ０１  第１のステップ
Ｓ０２  ステップ
Ｓ０３  ステップ
【図１】
2019506036.tif 000003
【図２】
2019506036.tif 000004
【図３】
2019506036.tif 000005
【図４】
2019506036.tif 000006
【図５】
2019506036.tif 000007
【図６】
2019506036.tif 000008
【国際調査報告】
2019506036.tif 000009
2019506036.tif 000010
2019506036.tif 000011
2019506036.tif 000012